(57)【要約】【課題】エントランスユニット１において、花台などの突出物を無くし、装飾物４の観賞用となる部分側だけをベースパネル１０の前面側に膨出させ、これに照明部１１の外灯光源を利用して、その周縁のベースパネル１０面に対して光と影による演出効果を発揮でき、ドア枠３の袖部３１に採用しても、倒れや落下が防止できるディスプレイ機能部１５を設ける。【解決手段】エントランスユニット１の各玄関先機能部に加えて設けられるディスプレイ機能部１５を、照明部１１の下面域となるベースパネル１０に形成された開口部１５１の奥行き方向に設けた格納部１５２内に、装飾物４を着脱可能にセットし、この装飾物４を、照明部１１による照光演出を可能とすべく開口部１５１からその外面側周縁空間に膨出させる。【選択図】図１
2012002018.tif 000002
【特許請求の範囲】
【請求項１】
複数種類の玄関先機能部をベースパネルに任意に組み合せて構成されるエントランスユニットであって、
該エントランスユニットは、前記各玄関先機能部に、さらにディスプレイ機能部を備えて構成されると共に、
該ディスプレイ機能部は、照明部の下面域となるベースパネルに開口部を形成し、該開口部の奥行き方向に形成される格納部と、該格納部内に着脱可能にセットされる所定のホルダを有する装飾物とを備え、
前記ホルダと共に格納部内にセットされた装飾物を、前記開口部からその外面側周縁空間に望ませて膨出せしめ、前記照明部による照光演出を可能とすべく構成されていることを特徴とするエントランスユニット。
【請求項２】
前記開口部の中間域に、前記装飾物の膨出を可能とすべく表札部を設けたことを特徴とする請求項１に記載のエントランスユニット。
【請求項３】
前記ホルダは、前記開口部側から出し入れ操作されて格納部のスペース内にセットされることを特徴とする請求項１または２に記載のエントランスユニット。
【請求項４】
前記格納部内には、前記ホルダを支持するフック片が設けられ、前記ホルダは、前記フック片に対して係脱可能に構成されていることを特徴とする請求項１乃至３の何れかに記載のエントランスユニット。
【請求項５】
前記照明部は、その光源としてＬＥＤ照明を備える一方、前記装飾物を、前記ホルダ内に設けられる保水マットに植栽される植物で形成し、該植物を、前記ＬＥＤ照明の照射により育成可能に構成してあることを特徴とする請求項１乃至４の何れかに記載のエントランスユニット。
【請求項６】
前記格納部の上方に給水容器を設け、該給水容器内の水を、給水管を介して格納部内にセットされた前記ホルダ内に供給することを特徴とする請求項５に記載のエントランスユニット。
【請求項７】
前記ベースパネルを、ドア枠として備えられ、またはドア枠内に備えられる袖部に装備せしめて袖パネル面として構成すると共に、前記袖部は、室内側となる裏面板が開閉可能に構成され、前記給水容器内への水供給を、室内側から行えるよう構成されていることを特徴とする請求項６に記載のエントランスユニット。
【請求項８】
複数種類の玄関先機能部をベースパネルに任意に組み合せて構成されるエントランスユニットを、ドア枠として備えられ、またはドア枠内に備えられる袖部に装備されるエントランスユニットシステムであって、
前記玄関先機能部は、照明部にその光源としてＬＥＤ照明を備え、該照明部が配置された下面域となるベースパネルに開口部を形成し、該開口部の奥行き方向に形成される格納部と、該格納部内に着脱可能にセットされる所定のホルダに設けられた植物により形成される装飾物とから構成されるディスプレイ機能部を備えると共に、
前記ホルダと共に格納部内にセットされた装飾物を、
前記開口部からその外面側周縁空間に望ませて膨出せしめ、前記照明部による照光演出と照射育成とを可能に構成し、
かつ、前記格納部の上方に、室内側からの水供給を行うよう設けられた給水容器から、給水管を介して前記ホルダ内に水補給することで育成可能に構成せしめたことを特徴とするエントランスユニットシステム。
【発明の詳細な説明】
【技術分野】
【０００１】
本発明は、照明部、表札部、インターホン部、新聞受け部、郵便受け部等の玄関先機能部をベースパネルに任意に組み合せて構成されるエントランスユニットに係り、特に、ドア枠として備えられ、またはドア枠内に備えられる袖部に装備され、或いは建物又は門柱の袖壁面に取り付けて構成される一体型のエントランスユニットに関する。
【背景技術】
【０００２】
近年、一般に、照明部、表札部、インターホン部、新聞受け部、郵便受け部等の玄関先機能部を組み合せて構成されるこの種エントランスユニットは、戸建て住宅の玄関先を装飾し演出する演出アイテムとして機能することから、マンションなどの集合住宅の各玄関ドアの袖壁面に単体品として採用されるが、近年におけるこのような集合住宅では、袖壁面に取り付けるものだけではなく、ドア枠として設けられ、またはドア枠内に設けられる袖部の袖パネル面に一体型のものとして装備させたものが普及している（例えば、特許文献１参照）。
【０００３】
しかしながら、このようなドア枠の袖部に装備させたエントランスユニットでは、通常、袖部の形成面域が高さと幅方向に制約を受け、限られた袖部面域に各玄関先機能部を配設しなければならず、例えば、特許文献２に開示されたように、一般的に備えられる縦列に配置された各種玄関先機能部に、袖壁面を有効利用することで、観賞用植物を載置するための花台などの装飾機能部を横方向に拡大して配置することができず、結局、各種玄関先機能部を縦列に配置しなければならないという設計上の制約が生じるため、装飾物による装飾機能部を配置させて、玄関先を立体感をもって演出するバリエーション化の妨げ要因となる問題を有していた。
また、特許文献２のものでは、単に植木鉢や花瓶を載置できる花台が突設されているに過ぎないため、植物を育成するために定期的に植木鉢に水を与える作業性と観賞性を損なわないために、必要以上の高所位置に配設することができず、また、ドアに隣接配置され、ドアの戸当り片を有して錠前側縦枠として機能する袖部に装備されるエントランスユニットにおいては、水を与える際や、ドアを開閉して出入りする際に、謝って接触したり、閉戸振動によって植木鉢を倒したり落としてしまう危惧があり、あるいは、突設された花台に衣服や腕などを引っ掛けて負傷してしまう危険性もあり、更には、インターホン部や新聞受部などの各玄関先機能の妨げにもなってしまうことから、この様な花台を採用することが極めて困難であった。
【特許文献１】特開２００７−３２１５０号公報
【特許文献２】特開２００９−４５３３０号公報
【発明の開示】
【発明が解決しようとする課題】
【０００４】
本発明は、上記の如き問題点を一掃すべく創案されたものであって、一体型のエントランスユニットにディスプレイ機能部を備えるものでありながら、花台などの突出物を設ける必要を無くし、装飾物となる植物などの観賞用となる部分側だけをベースパネルの前面側に膨出することができるばかりか、人の出入りの際などに、接触を回避できる高さ位置に、何ら観賞性を損なうことなく、かつ何ら各玄関先機能部を妨げることなく配置することができ、しかも、照明部の外灯光源を利用して、ベースパネルの前面側に膨出した装飾物を照らすことができるようにし、開口部周縁のベースパネル面に対しても光と影による演出効果を発揮することができ、玄関ドアの袖壁面だけでなく、ドア枠の袖部にも採用することのできるエントランスユニットの提供を目的とする。
【課題を解決するための手段】
【０００５】
上記課題を解決するために本発明のエントランスユニットは、複数種類の玄関先機能部をベースパネルに任意に組み合せて構成されるエントランスユニットであって、該エントランスユニットは、前記各玄関先機能部に、さらにディスプレイ機能部を備えて構成されると共に、該ディスプレイ機能部は、照明部の下面域となるベースパネルに開口部を形成し、該開口部の奥行き方向に形成される格納部と、該格納部内に着脱可能にセットされる所定のホルダを有する装飾物とを備え、前記ホルダと共に格納部内にセットされた装飾物を、前記開口部からその外面側周縁空間に望ませて膨出せしめ、前記照明部による照光演出を可能とすべく構成されていることを特徴とするものである。
また、上記課題を解決するために本発明のエントランスユニットシステムは、複数種類の玄関先機能部をベースパネルに任意に組み合せて構成されるエントランスユニットを、ドア枠として備えられ、またはドア枠内に備えられる袖部に装備されるエントランスユニットシステムであって、前記玄関先機能部は、照明部にその光源としてＬＥＤ照明を備え、該照明部が配置された下面域となるベースパネルに開口部を形成し、該開口部の奥行き方向に形成される格納部と、該格納部内に着脱可能にセットされる所定のホルダに設けられた植物により形成される装飾物とから構成されるディスプレイ機能部を備えると共に、前記ホルダと共に格納部内にセットされた装飾物を、前記開口部からその外面側周縁空間に望ませて膨出せしめ、前記照明部による照光演出と照射育成とを可能に構成し、かつ、前記格納部の上方に、室内側からの水供給を行うよう設けられた給水容器から、給水管を介して前記ホルダ内に水補給することで育成可能に構成せしめたことを特徴とするものである。
【発明の効果】
【０００６】
本発明は、上記のように構成したことにより、一体型のエントランスユニットにディスプレイ機能部を備えるものでありながら、従来、照明部の下面域に配置されていた表札部の専有領域に、その前面側に突設された花台などの突出物を何ら存在させることなく、装飾物となる植物などの観賞用となる部分側だけをベースパネルの前面側に膨出させた状態で、装飾物のホルダを格納部内に着脱自在にセット保持し得て、ドア枠の袖部に採用したとしても、開戸振動などによる倒れや落下が防止できるだけでなく、人の出入りの際などに、謝って接触してしまう危惧を確実に回避できる高さ位置に、表札部と共に、或いは表札部と並設してディスプレイ機能部を配置することができる。その結果、玄関ドアの袖壁面だけでなく、ドアに隣接される袖部の袖パネル面となるベースパネルの限られた面域内への装備を可能ならしめ、インターホン部などの各玄関先機能を何ら妨げることなく、訪問者が最も注視する表札部域の観賞性を高めることができるようになり、しかも、照明部の外灯用光源を利用して、ベースパネルの前面側に膨出した装飾物を直接的に照らすことができるので、装飾物自体の存在感を奥行き感をもたせて一層際立たせる態様で視認させることができ、かつ、開口部周縁や下面域に及ぶベースパネル面域に対しても装飾機能を拡張せしめて光と影による演出効果を発揮することができ、さらに、格納部内にセット可能な植物、造花、工芸品、絡繰り時計などの立体的な造形物や造作物を装飾物として任意に選択し、住居者の好みに応じた採用の自由度を高めることができる。
【発明を実施するための最良の形態】
【０００７】
以下、本発明の実施の形態を好適な実施の形態として例示するエントランスユニットを図面に基づいて詳細に説明する。図１は玄関ドアの袖部に装備されたエントランスユニットの全体正面図、図２はエントランスユニットの内部構成を示す全体縦断面図、図３は照明部とディスプレイ機能部の正面図、図４はディスプレイ機能部の内部構成を示す横断面図、図５は照明部とディスプレイ機能部の内部構成を示す縦断面図である。
【０００８】
図１、２において、１は複数種類の玄関先機能部を組み合せて構成されるエントランスユニットであって、本実施形態のエントランスユニット１は、玄関ドア２のドア枠３として備えられ、またはドア枠３内に備えられる袖部３１に袖パネル面として装備されるものであり、各玄関先機能部としては、ベースパネル１０に、一般的な照明部１１、表札部１２、インターホン部１３、新聞受け部１４が備えられる他、郵便受け部等を予め用意し、これらの中から任意のものを選択して組み付けると共に、更に、これら各玄関先機能部に加え、ディスプレイ機能部１５を備えて構成される。なお、エントランスユニット１には、少なくとも照明部１１とディスプレイ機能部１５を備えるものであり、玄関ドア２又は門柱の袖壁面に取り付けて構成しても良い。
【０００９】
袖部３１は、ドア枠３を形成する所定の幅間隔を存して、室外側に配設されるブラケット板３１１と、室内側に開閉可能に配設される戸板３１２とで構成され、ブラケット板３１１には、各玄関先機能部がセットできるよう所定の開口が形成されており、各玄関先機能部と共に人造大理石により化粧パネルとして形成されたベースパネル１０が取着され、袖パネル面を形成すると共に、戸板３１２を開戸することで、ブラケット板３１１の裏面側から照明部１１やインターホン部１３の配線などの保守点検ができるようになっている。なお、ベースパネル１０の材質は人造大理石に限定されず、任意の材質のものであっても良いことは勿論である。
【００１０】
照明部１１は、外灯用光源としてＬＥＤ照明１１１が用いられ、ＬＥＤ照明１１１発光により玄関照明として機能するようになっており、ディスプレイ機能部１５は、この照明部１１の下面域となるベースパネル１０に開口部１５１を形成し、この開口部１５１の奥行き方向に形成される格納部１５２と、該格納部１５２のスペース内に着脱可能にセットされる所定のホルダ４１に設けられる装飾物４とを備え、ホルダ４１と共に格納部１５２内にセットされた装飾物４を、開口部１５１からその外面側周縁空間に望ませて、或いは及ぶよう膨出させて、照明部１１に設けられた反射板（図示しない）を介して照光される光源により、昼夜を問わずその存在を認識させ、光と影による演出効果が発揮できるよう構成される。格納部１５２の内周面には、ベースパネル１０と同じ材質の人造大理石が用いられ、ベースパネル１０の化粧表面と開口部１５１から奥行き方向に一体感をもって立体的に構成される。
【００１１】
格納部１５２内の上部には、板材を側面視略し字状に折曲形成したフック片５１が設けられ、装飾物４のホルダ４１の上部には、板材を側面視略Ｌ字状に折曲形成した立上り部に係止孔が開孔された係止片５２が設けられており、この係止片５２がフック片５１に対して係脱可能な係脱手段５として構成される。つまり、装飾物４を格納部１５２内にセットする際には、開口部１５１側からホルダ４１を格納スペース内に入れて、係止片５２をフック片５１に係合させて装着セットし、また、一端セットされた装飾物４を取り替えたり、調整したい場合などには、ホルダ４１を上方に持ち上げて、係止片５２をフック片５１から外し、下方を手前側に傾斜させるようにして取り出すことで、開口部１５１側から出し入れ操作できるようになっている。
【００１２】
本実施例における装飾物４は、ホルダ４１内に設けられる保水マット４２に植栽される植物４０により形成される。この保水マット４２に植栽される植物４０は、多種多様の草花などによる植栽パターンにより壁面に適用可能に造作された市販品であり、住居者の好みに応じて購入採用できる。また、格納部１５２の上方、即ち、袖部３１の内部となる格納部１５２の上面ブラケット板３１１に、底部側に給水管４３１を有した給水容器４３を載置して設け、給水管４３１の先端側を、格納部１５２の上方に穿設した挿入孔に挿通させ、ホルダ４１の上部両側を開口形成させた水受け部４１１に望ませて配設してある。この様に構成すると、室内側から戸板３１２を開戸して、給水容器４３に給水することにより、給水管４３１を介して格納部１５２にセットされたホルダ４１内に供給して、植物４０を育成することができる。なお、袖壁面に取り付けした場合には、開口部１５１側からホルダ４１の水受け部４１１に直接給水すれば良く、装飾物４としては、造花、工芸品、絡繰り時計などの立体的な造形物や造作物であっても良い。
【００１３】
表札部１２は、開口部１５１の中間域となる上側と下側のそれぞれに帯状の板材よりなる室名札部１２ａと室番号札部１２ｂを配置して構成される。室名札部１２ａと室番号札部１２ｂは、それぞれ表札として機能する面がベースパネル１０の表面から上面視略コ字状に突出するよう、開口部１５１と略同幅の表札面１２１とその両側に折曲する折曲片１２２により形成され、両折曲片１２２の基端側を段差状に折曲させた部分を格納部１５２の裏面側の側板にネジ止めして取付けられている。
【００１４】
つまり、表札面１２１は、ベースパネル１０の表面から突出する折曲片１２２の所定の長さ幅をもって離間配置され、格納部１５２のホルダ４１の収容スペースと共に植物４０を膨出させることのできる空間として機能し、装飾物４の不用意な落下を防止する機能も兼ね備え、植物４０の育成を阻害することが無く、植物４０が表札面１２１を覆い隠すことなく視認でき表札機能部の存在を阻害することもない。なお、表札部１２は、コ字状に折曲形成したが湾曲状に形成しても良く、また、開口部１５１の中間域となる上下に配置したが、開口部１５１の近傍上側域または下側域に従来と同様の態様で設けても良い。
【００１５】
インターホン部１３は、図示しないインターホン装置（子機）が内装される箱状のインターホンベース１３１と、該インターホンベース１３１の前面を覆う前パネル１３２とを備えて構成されている。前パネル１３２には、インターホン装置のボタン操作用の孔１３３や、音声伝達用の孔１３４が穿設されており、孔１３３を介したインターホン装置の操作により、室内側に設置される親機との通話が可能になる。
【００１６】
新聞受け部１４は、格納部１５２と同様、その内周面に、ベースパネル１０と同じ材質の人造大理石が用いられ、ベースパネル１０の化粧表面と開口部１４１から奥行き方向に立体感をもって一体的に構成される。開口部１４１の中間域には、ベースパネル１０表面と同面位置に新聞受けバー１４２が懸架して設けられており、上部から投入された新聞を、新聞受けバー１４２で受け止めて、新聞受けスペースに収容できるようになっている。
【００１７】
叙述の如く構成された本発明の実施の形態において、玄関ドア２の袖部３１或いは袖壁面に装備されるエントランスユニット１を、照明部１１を備えたベースパネル１０に対して、表札部１２、インターホン部１３、新聞受け部１４等の各種玄関先機能部を任意に組み合せて構成されたものに、更にディスプレイ機能部１５を組み合せて構成するのであるが、ディスプレイ機能部１５は、照明部１１の下面域となるベースパネル１０に開口部１５１を形成し、該開口部１５１の奥行き方向に形成される格納部１５２と、該格納部１５２内に着脱可能にセットされる所定のホルダ４１を有する装飾物４とを備え、ホルダ４１と共に格納部内にセットされた装飾物４を、開口部１５１からその外面側周縁空間に望ませて、或いは及ぶよう膨出せしめ、照明部１１による照光演出を可能とすべく構成されている。
【００１８】
そのため、玄関ドア２の袖部３１や袖壁面に装備される一体型のエントランスユニット１にディスプレイ機能部を備えるものでありながら、従来、照明部１１の下面域に配置されていた表札部１２の専有領域に、その前面側に突設された花台などの突出物を何ら存在させることなく、装飾物４となる植物４０などの観賞用となる部分側だけをベースパネル１０の前面側に膨出させた状態で、装飾物４のホルダ４１を格納部１５２内に着脱自在にセット保持し得て、ドア枠３の袖部３１に採用したとしても、開戸振動などによる倒れや落下が防止できるようになるだけでなく、人の出入りの際などに、謝って接触してしまう危惧を確実に回避できる高さ位置に、表札部１２と共に、或いは表札部１２と並設してディスプレイ機能部１５を配置することができる。その結果、玄関ドアの袖壁面だけでなく、ドア２に隣接される袖部３１の袖パネル面となるベースパネル１０の限られた面域内への装備を可能ならしめ、インターホン部１３などの各玄関先機能を何ら妨げることなく、訪問者が最も注視する表札部１２域やその周縁の観賞性を高めることができるようになり、しかも、照明部１１の外灯用光源を利用して、ベースパネル１０の前面側に膨出した装飾物４を直接的に照らすことができるので、装飾物４自体の存在感を奥行き感をもたせて一層際立たせる態様で視認させることができ、かつ、開口部１５１の周縁や下面域に及ぶベースパネル１０面域に対しても装飾機能を拡張せしめて光と影による演出効果を発揮することができ、さらに、格納部１５２内にセット可能な植物、造花、工芸品、絡繰り時計などの立体的な造形物や造作物を装飾物４として任意に選択し、住居者の好みに応じた採用の自由度を高めることができる。
【００１９】
また、前記開口部１５１の中間域となる上側と下側のそれぞれに、帯状の板材よりなる室名札部１２ａと室番号札部１２ｂとからなる表札部１２が装飾物４の膨出を可能とすべく設けられているので、表札機能と共に装飾物４の不用意な落下を防止する機能も兼ね備えることができる。
しかも、室名札部１２ａと室番号札部１２ｂは、その表札面１２１を、ベースパネル１０の表面から突出する折曲片１２２の所定の長さ幅をもって離間配置させて構成してあるので、格納部１５２のホルダ４１の収容スペースと共に装飾物４を膨出させることのできる空間として、装飾物４を保護する帯板として機能し、装飾物４が表札面１２１を覆い隠すことなく視認でき表札機能部の存在を阻害することもない。装飾物４として植物４０が採用された際に、植物４０の成長に伴って、表札面１２１を覆い隠してしまうことも回避され、開口部１５１の下方域となるベースパネル１０面域を育成面域として利用でき、装飾機能を拡張する育成を行うことができる。
【００２０】
また、前記ホルダ４１は、開口部１５１側からの出し入れ操作で格納部１５２のスペース内にセット可能に構成されているので、格納部１５２内にセット可能な植物、造花、工芸品、絡繰り時計などの立体的な造形物や造作物であれば、住居者の好みに応じた装飾物４を選択してセットでき、植物４０が枯れた際に取り替えてディスプレイ機能を、常に最善な形態で維持することができ、外観を損なうことがない。
【００２１】
また、前記格納部１５２内には、ホルダ４１を支持する係止手段としてのフック片５１が設けられ、ホルダ４１は、このフック片５１に対して係脱可能に構成されているので、格納部１５２内にセットされたホルダ４１を確実に保持して、装飾物４が倒れたり、脱落したりすることがない。しかも、ホルダ４１側に設けられる係止片５２は、金具によらず紐体であっても良く、ホルダ４１に予め係止片５２が設けられていない場合であっても、簡単に取設することができる。
【００２２】
また、前記照明部１１は、その光源としてＬＥＤ照明１１１を備える一方、装飾物４を、ホルダ４１内に設けられる保水マット４２に植栽される植物４０で形成し、該植物４０を、ＬＥＤ照明１１１の照射により育成可能に構成してあるので、照明部１１の外灯用光源を、袖部３１の前面側に膨出した植物４０に照射させて、照明部１１による照光演出と共に、植物４０を育成するための光源として利用することができるので、マンションなどの日光の当たらない玄関先であっても、ディスプレイ機能部１５に植物４０を採用することができる。
【００２３】
しかも、ベースパネル１０を、ドア枠３として備えられ、またはドア枠３内に備えられる袖部３１の袖パネル面として装備すれば、格納部１５２の上方には給水容器４３が設けられており、この給水容器４３内の水を、給水管４３１を介して格納部１５２内にセットされたホルダ４１内に供給して、保水マット４２に含水させ、植物４０を育成することができる。
これにより、ディスプレイ機能部１５に植物４０を採用した際に、開口部１５１からその外面側周縁空間に望ませて、或いは及ぶよう膨出せしめた植物４０に対して、照明部１１のＬＥＤ照明１１１による照光演出と照射育成とを可能にし、かつ、給水管４３１を介してホルダ４１内に水補給することで植物４０の育成をも可能に構成されたエントランスユニットシステムを構築することができる。
さらに、袖部３１の室内側裏面板３１２が開閉可能に構成され、給水容器４３内への水供給作業が室内側から行えるよう構成されているので、踏み台などを持参してわざわざ屋外に出て給水作業を行う煩わしさが解消され、給水作業を何時でも安易に行うことができる。
【図面の簡単な説明】
【００２４】
【図１】玄関ドアの袖部に装備されたエントランスユニットの全体正面図である。
【図２】エントランスユニットの内部構成を示す全体縦断面図である。
【図３】照明部とディスプレイ機能部の正面図である。
【図４】ディスプレイ機能部の内部構成を示す横断面図である。
【図５】照明部とディスプレイ機能部の内部構成を示す縦断面図である。
【符号の説明】
【００２５】
１      エントランスユニット
１０    ベースパネル
１１    照明部
１１１  ＬＥＤ照明
１２    表札部
１２ａ  室名札部
１２ｂ  室番号札部
１２１  表札面
１２２  折曲片
１３    インターホン部
１３１  インターホンベース
１３２  前パネル
１３３  ボタン操作用の孔
１３４  音声伝達用の孔
１４    新聞受け部
１４１  開口部
１４２  新聞受けバー
１５    ディスプレイ機能部
１５１  開口部
１５２  格納部
２      ドア
２１    ドアハンドル
３      ドア枠
３１    袖部
３１１  ブラケット板
３１２  室内側裏面板
３１２  戸板
４      装飾物
４０    植物
４１    ホルダ
４１１  水受け部
４２    保水マット
４３    給水容器
４３１  給水管
５１    フック片
５２    係止片
【図１】
2012002018.tif 000003
【図２】
2012002018.tif 000004
【図３】
2012002018.tif 000005
【図４】
2012002018.tif 000006
【図５】
2012002018.tif 000007